(57)【特許請求の範囲】
【請求項１】
第１画像処理装置と、
前記第１画像処理装置とネットワークを介して接続され、前記第１画像処理装置に対し画像処理の指示を送信する情報処理装置と、
前記情報処理装置と前記ネットワークを介して接続され、前記第１画像処理装置に電力を供給する電力供給装置と
を備えた画像処理システムであって、
前記情報処理装置は、
前記第１画像処理装置に対する所定の処理の実行指示を受け付ける実行指示受付部と、
前記実行指示を受け付けた場合に、前記第１画像処理装置への電力供給の開始を指示する第１開始指示を前記電力供給装置に送信する第１送信部と、
前記第１画像処理装置と通信可能か否かを監視する第１通信監視部と、
前記第１画像処理装置との通信が可能となった場合に、前記実行指示と、前記処理の実行に必要な実行情報とを前記第１画像処理装置に送信する第２送信部と
を有し、
前記電力供給装置は、
前記情報処理装置から、前記第１開始指示を受信する第１受信部と、
前記第１開始指示を受信した場合に、前記第１画像処理装置への電力供給を開始する電力制御部と
を有し、
前記第１画像処理装置は、
前記電力供給装置から電力が供給されると、当該第１画像処理装置の各部への電力供給を開始する第１電力供給部と、
前記第１電力供給部による前記各部への電力供給が開始された場合に、前記情報処理装置から前記実行指示と前記実行情報とを受信する第２受信部と、
前記実行情報に基づいて、前記実行指示に従い前記処理を実行する第１処理部と
を有し、
前記情報処理装置の前記第１送信部は、前記第１送信部が前記第１開始指示を送信してから予め定められた規定時間経過後に前記第１画像処理装置との通信が可能とならない場合には、前記第１画像処理装置への電力供給を停止した後に再度開始することを指示する再開始指示を前記電力供給装置に送信し、
前記電力供給装置の前記第１受信部は、前記再開始指示をさらに受信し、
前記電力供給装置の電力制御部は、前記第１受信部が前記再開始指示を受信した場合に、前記第１画像処理装置への電力供給を停止した後に、再度開始することを特徴とする画像処理システム。
【請求項２】
第１画像処理装置と、
前記第１画像処理装置とネットワークを介して接続され、前記第１画像処理装置に対し画像処理の指示を送信する情報処理装置と、
前記情報処理装置と前記ネットワークを介して接続され、前記第１画像処理装置に電力を供給する電力供給装置と
を備えた画像処理システムであって、
前記情報処理装置は、
前記第１画像処理装置に対する所定の処理の実行指示を受け付ける実行指示受付部と、
前記実行指示を受け付けた場合に、前記第１画像処理装置への電力供給の開始を指示する第１開始指示を前記電力供給装置に送信する第１送信部と、
前記第１画像処理装置と通信可能か否かを監視する第１通信監視部と、
前記第１画像処理装置との通信が可能となった場合に、前記実行指示と、前記処理の実行に必要な実行情報とを前記第１画像処理装置に送信する第２送信部と
を有し、
前記電力供給装置は、
前記情報処理装置から、前記第１開始指示を受信する第１受信部と、
前記第１開始指示を受信した場合に、前記第１画像処理装置への電力供給を開始する電力制御部と
を有し、
前記第１画像処理装置は、
前記電力供給装置から電力が供給されると、当該第１画像処理装置の各部への電力供給を開始する第１電力供給部と、
前記第１電力供給部による前記各部への電力供給が開始された場合に、前記情報処理装置から前記実行指示と前記実行情報とを受信する第２受信部と、
前記実行情報に基づいて、前記実行指示に従い前記処理を実行する第１処理部と
を有し、
前記画像処理システムは、前記情報処理装置と前記ネットワークを介して接続され、前記電力供給装置から電力を供給される第２画像処理装置をさらに備え、
前記第２画像処理装置は、
前記電力供給装置から電力が供給されると、当該第２画像処理装置の各部への電力供給を開始する第２電力供給部と、
前記第２電力供給部による前記各部への電力供給が開始された場合に、前記情報処理装置から前記実行指示と前記実行情報とを受信する第３受信部と、
前記実行情報に基づいて、前記実行指示に従い前記処理を実行する第２処理部と
を有し、
前記情報処理装置の前記第１送信部は、前記第１送信部が前記第１開始指示を送信してから予め定められた規定時間経過後に前記第１画像処理装置との通信が可能とならない場合には、前記第２画像処理装置への電力供給の開始を指示する第２開始指示を前記電力供給装置に送信し、
前記情報処理装置の前記第１通信監視部は、前記第２画像処理装置と通信可能か否かを監視し、
前記情報処理装置は、前記第２画像処理装置との通信が可能となった場合に、前記実行指示と、前記実行情報とを前記第２画像処理装置に送信する第３送信部をさらに有し、
前記電力供給装置の前記第１受信部は、前記情報処理装置から前記第２開始指示をさらに受信し、
前記電力供給装置の前記電力制御部は、前記第２開始指示を受信した場合に、前記第２画像処理装置への電力供給を開始することを特徴とする画像処理システム。
【請求項３】
前記第１画像処理装置は、
前記各部への電力供給停止を指示する電源オフ指示を受け付ける電源オフ指示受付部と、
前記電源オフ指示を受け付けた場合に、前記電源オフ指示を前記情報処理装置に送信する第４送信部と
をさらに有し、
前記情報処理装置は、
前記電源オフ指示を受信する第４受信部をさらに有し、
前記情報処理装置の前記第１送信部は、前記電源オフ指示を受信すると、前記第１画像処理装置への電力供給の停止を指示する停止指示を前記電力供給装置に送信し、
前記電力供給装置の前記電力制御部は、前記第１受信部が前記停止指示を受信すると、前記第１画像処理装置への電力供給を停止することを特徴とする請求項１又は２に記載の画像処理システム。
【請求項４】
前記情報処理装置は、
前記第１画像処理装置における前記各部への電力供給停止を指示する電源オフ指示を受け付ける電源オフ指示受付部をさらに有し、
前記情報処理装置の前記第１送信部は、前記電源オフ指示を受け付けた場合に、前記第１画像処理装置への電力供給の停止を指示する停止指示を前記電力供給装置に送信し、
前記電力供給装置の前記電力制御部は、前記第１受信部が前記停止指示を受信すると、前記第１画像処理装置への電力供給を停止することを特徴とする請求項１又は２に記載の画像処理システム。
【請求項５】
前記第１画像処理装置は、
前記各部への電力供給停止を指示する電源オフ指示を受け付ける電源オフ指示受付部と、
前記電源オフ指示を受け付けた場合に、当該第１画像処理装置への電力供給の停止を指示する停止指示を前記電力供給装置に送信する第５送信部と
をさらに有し、
前記電力供給装置は、
前記第１画像処理装置から前記停止指示を受信する第５受信部をさらに有し、
前記電力供給装置の前記電力制御部は、前記停止指示を受信した場合に、前記第１画像処理装置への電力供給を停止することを特徴とする請求項１又は２に記載の画像処理システム。
【請求項６】
前記電力供給装置は、前記第１画像処理装置に、前記ネットワークを介して接続されるとともに、電力供給が可能な電力線で接続されており、
前記電力供給装置と前記第１画像処理装置とは、情報の送受信を、前記ネットワークを介して行い、
前記電力供給装置は、前記第１画像処理装置に対して、前記電力線を介して電力供給を行うこと、
を特徴とする請求項１〜５のいずれか一項に記載の画像処理システム。
【請求項７】
前記電力供給装置は、前記第１画像処理装置に、情報の搬送と電力供給の双方が可能な電力通信線で接続されており、
前記電力供給装置と前記第１画像処理装置とは、情報の送受信を、前記電力通信線を介して行い、
前記電力供給装置は、前記第１画像処理装置に対して、前記電力通信線を介して電力供給を行うこと、
を特徴とする請求項１〜５のいずれか一項に記載の画像処理システム。
【請求項８】
前記第１画像処理装置は、
前記電力供給装置から、前記電力通信線を介して電力供給を受けた場合に、前記第１画像処理装置を識別するための識別情報を、前記電力通信線を介して前記電力供給装置に送信する第６送信部をさらに備え、
前記電力供給装置は、
前記第１画像処理装置から、前記識別情報を、前記電力通信線を介して受信する第６受信部と、
前記識別情報を受信した場合に、受信した前記識別情報を、前記ネットワークを介して前記情報処理装置に送信する第７送信部と、をさらに備え、
前記情報処理装置は、
記憶部と、
前記電力供給装置から、前記識別情報を受信し、受信した前記識別情報を前記記憶部に保存する第７受信部と、
をさらに備えたことを特徴とする請求項７に記載の画像処理システム。
【請求項９】
前記第１画像処理装置の前記第６送信部は、前記第１画像処理装置が電源オンの要因が発生した場合に、前記電力供給装置に、前記電力通信線を介して、電源オンの指令を送信し、
前記電力供給装置の前記第６受信部は、前記第１画像処理装置から前記電源オンの指令を、前記電力通信線を介して受信し、
前記電力供給装置の前記電力制御部は、前記電源オンの指令を受信した場合に、前記第１画像処理装置に対して、前記電力通信線を介して電力供給を開始すること、
を特徴とする請求項８に記載の画像処理システム。
【請求項１０】
第１画像処理装置と、
前記第１画像処理装置とネットワークを介して接続され、前記第１画像処理装置に対し画像処理の指示を送信する情報処理装置と、
前記第１画像処理装置および前記情報処理装置と前記ネットワークを介して接続され、前記第１画像処理装置に電力を供給する電力供給装置と
を備えた画像処理システムであって、
前記情報処理装置は、
前記第１画像処理装置に対する所定の処理の実行指示を受け付ける実行指示受付部と、
前記実行指示を受け付けた場合に、前記第１画像処理装置への電力供給の開始を指示する開始指示と、前記実行指示と、前記処理の実行に必要な実行情報とを前記電力供給装置に送信する第１送信部と
を有し、
前記電力供給装置は、
前記情報処理装置から、前記開始指示と、前記実行指示と、前記実行情報とを受信する第１受信部と、
前記開始指示を受信した場合に、前記第１画像処理装置への電力供給を開始する電力制御部と、
前記第１画像処理装置と通信が可能か否かを監視する通信監視部と、
前記第１画像処理装置との通信が可能となった場合に、前記実行指示と、前記実行情報とを前記第１画像処理装置に送信する第２送信部と
を有し、
前記第１画像処理装置は、
前記電力供給装置から電力が供給されると、当該第１画像処理装置の各部への電力供給を開始する電力供給部と、
前記電力供給部による前記各部への電力供給が開始された場合に、前記電力供給装置から前記実行指示と前記実行情報とを受信する第２受信部と、
前記実行情報に基づいて、前記実行指示に従い前記処理を実行する処理部と
を有し、
前記電力供給装置は、前記第１画像処理装置に、情報の搬送と電力供給の双方が可能な電力通信線で接続されており、
前記電力供給装置と前記第１画像処理装置とは、情報の送受信を、前記電力通信線を介して行い、
前記電力供給装置は、前記第１画像処理装置に対して、前記電力通信線を介して電力供給を行い、
前記第１画像処理装置は、
前記電力供給装置から、前記電力通信線を介して電力供給を受けた場合に、前記第１画像処理装置を識別するための識別情報を、前記電力通信線を介して前記電力供給装置に送信する第６送信部をさらに備え、
前記電力供給装置は、
前記第１画像処理装置から、前記識別情報を、前記電力通信線を介して受信する第６受信部と、
前記識別情報を受信した場合に、受信した前記識別情報を、前記ネットワークを介して前記情報処理装置に送信する第７送信部と、をさらに備え、
前記情報処理装置は、
記憶部と、
前記電力供給装置から、前記識別情報を受信し、受信した前記識別情報を前記記憶部に保存する第７受信部と、
をさらに備えたことを特徴とする画像処理システム。
【請求項１１】
前記第１画像処理装置の前記第６送信部は、前記第１画像処理装置が電源オンの要因が発生した場合に、前記電力供給装置に、前記電力通信線を介して、電源オンの指令を送信し、
前記電力供給装置の前記第６受信部は、前記第１画像処理装置から前記電源オンの指令を、前記電力通信線を介して受信し、
前記電力供給装置の前記電力制御部は、前記電源オンの指令を受信した場合に、前記第１画像処理装置に対して、前記電力通信線を介して電力供給を開始すること、
を特徴とする請求項１０に記載の画像処理システム。
【請求項１２】
第１画像処理装置と、前記第１画像処理装置とネットワークを介して接続され、前記第１画像処理装置に対し画像処理の指示を送信する情報処理装置と、前記情報処理装置と前記ネットワークを介して接続され、前記第１画像処理装置に電力を供給する電力供給装置とを備えた画像処理システムで実行される画像処理方法であって、
前記情報処理装置が、前記第１画像処理装置に対する所定の処理の実行指示を受け付けるステップと、
前記情報処理装置が、前記実行指示を受け付けた場合に、前記第１画像処理装置への電力供給の開始を指示する第１開始指示を前記電力供給装置に送信するステップと、
前記情報処理装置が、前記第１画像処理装置と通信可能か否かを監視するステップと、
前記情報処理装置が、前記第１画像処理装置との通信が可能となった場合に、前記実行指示と、前記処理の実行に必要な実行情報とを前記第１画像処理装置に送信するステップと、
前記電力供給装置が、前記情報処理装置から、前記第１開始指示を受信するステップと、
前記電力供給装置が、前記第１開始指示を受信した場合に、前記第１画像処理装置への電力供給を開始するステップと、
前記第１画像処理装置が、前記電力供給装置から電力が供給されると、当該第１画像処理装置の各部への電力供給を開始するステップと、
前記第１画像処理装置が、前記各部への電力供給が開始された場合に、前記情報処理装置から前記実行指示と前記実行情報とを受信するステップと、
前記第１画像処理装置が、前記実行情報に基づいて、前記実行指示に従い前記処理を実行するステップと、
前記情報処理装置が、前記第１開始指示を送信してから予め定められた規定時間経過後に前記第１画像処理装置との通信が可能とならない場合には、前記第１画像処理装置への電力供給を停止した後に再度開始することを指示する再開始指示を前記電力供給装置に送信するステップと、
前記電力供給装置が、前記再開始指示をさらに受信するステップと、
前記電力供給装置が、前記再開始指示を受信した場合に、前記第１画像処理装置への電力供給を停止した後に、再度開始するステップと、
を含むことを特徴とする画像処理方法。
【請求項１３】
第１画像処理装置と、前記第１画像処理装置とネットワークを介して接続され、前記第１画像処理装置に対し画像処理の指示を送信する情報処理装置と、前記情報処理装置と前記ネットワークを介して接続され、前記第１画像処理装置に電力を供給する電力供給装置とを備えた画像処理システムで実行される画像処理方法であって、
前記情報処理装置が、前記第１画像処理装置に対する所定の処理の実行指示を受け付けるステップと、
前記情報処理装置が、前記実行指示を受け付けた場合に、前記第１画像処理装置への電力供給の開始を指示する第１開始指示を前記電力供給装置に送信するステップと、
前記情報処理装置が、前記第１画像処理装置と通信可能か否かを監視するステップと、
前記情報処理装置が、前記第１画像処理装置との通信が可能となった場合に、前記実行指示と、前記処理の実行に必要な実行情報とを前記第１画像処理装置に送信するステップと、
前記電力供給装置が、前記情報処理装置から、前記第１開始指示を受信するステップと、
前記電力供給装置が、前記第１開始指示を受信した場合に、前記第１画像処理装置への電力供給を開始するステップと、
前記第１画像処理装置が、前記電力供給装置から電力が供給されると、当該第１画像処理装置の各部への電力供給を開始するステップと、
前記第１画像処理装置が、前記各部への電力供給が開始された場合に、前記情報処理装置から前記実行指示と前記実行情報とを受信するステップと、
前記第１画像処理装置が、前記実行情報に基づいて、前記実行指示に従い前記処理を実行するステップと、
を含み、
前記画像処理システムが、前記情報処理装置と前記ネットワークを介して接続され、前記電力供給装置から電力を供給される第２画像処理装置をさらに備え、
前記画像処理方法は、
前記第２画像処理装置が、前記電力供給装置から電力が供給されると、当該第２画像処理装置の各部への電力供給を開始するステップと、
前記第２画像処理装置が、前記各部への電力供給が開始された場合に、前記情報処理装置から前記実行指示と前記実行情報とを受信するステップと、
前記第２画像処理装置が、前記実行情報に基づいて、前記実行指示に従い前記処理を実行するステップと、
前記情報処理装置が、前記第１開始指示を送信してから予め定められた規定時間経過後に前記第１画像処理装置との通信が可能とならない場合には、前記第２画像処理装置への電力供給の開始を指示する第２開始指示を前記電力供給装置に送信するステップと、
前記情報処理装置が、前記第２画像処理装置と通信可能か否かを監視するステップと、
前記情報処理装置が、前記第２画像処理装置との通信が可能となった場合に、前記実行指示と、前記実行情報とを前記第２画像処理装置に送信するステップと、
前記電力供給装置が、前記情報処理装置から前記第２開始指示をさらに受信するステップと、
前記電力供給装置が、前記第２開始指示を受信した場合に、前記第２画像処理装置への電力供給を開始するステップと、
をさらに含むことを特徴とする画像処理方法。
【発明の詳細な説明】
【技術分野】
【０００１】
本発明は、画像処理システムおよび画像処理方法に関する。
【背景技術】
【０００２】
従来、例えば電源タップのような電力供給装置とホスト装置が複数の機器を管理するシステムが知られている。このようなシステムにおいて、電力供給装置は、各機器に電力を供給するとともに、例えば各機器の消費電力を測定し、測定結果をネットワークを介してホスト装置に送信し、ホスト装置は、測定結果を管理する。さらに、電力供給装置は、ホスト装置からの指示にしたがい各機器への電力供給のオンオフを制御する。
【０００３】
ところで、画像処理装置においては、画像処理が行われていないときに装置の一部への電力供給を停止する待機状態を有するものが知られている。これにより、消費電力の低減を図ることができる。さらに、ネットワークを介してユーザ端末等の情報処理装置に接続され、情報処理装置におけるユーザからの入力に従い動作する画像処理装置においては、待機状態においてもネットワークを有効にし、情報処理装置から印刷ジョブ等の指示を受信可能とするものが知られている。
【０００４】
画像処理装置における消費電力を低減する技術としては、特許文献１には、複写機と管理装置とがネットワークを介して接続されたシステムにおいて、複写機が使用されていないときに、管理装置が複写機の電源をオフする方法が開示されている。
【０００５】
また、複数の機器への電力供給をＰｏＥ（Ｐｏｗｅｒ  ｏｖｅｒ  Ｅｔｈｅｒｎｅｔ（登録商標））により管理する技術も知られている。例えば特許文献２には、情報処理装置から画像処理装置に印刷ジョブを送信し、画像処理装置において印刷ジョブに従い画像を印刷するシステムにおいて、消費電力を下げるべく、画像処理装置の待機時には、ネットワーク部分の電源をオフさせ、情報処理装置から印刷ジョブを送信する際にＨＵＢ等からＰｏＥによりネットワーク部分の電源をオンする技術が開示されている。
【発明の概要】
【発明が解決しようとする課題】
【０００６】
しかしながら、ネットワークを介して情報処理装置と接続される画像処理装置では、上述のように、情報処理装置を介して印刷ジョブを受け付けるためには、待機状態においてもネットワークを有効にしておく必要がある。このため、画像処理装置の電源を完全にオフにすることができない。したがって、待機状態においても電力を消費してしまうという問題があった。このような問題は、上述のＰｏＥを利用することにより解消することができる。しかしながら、ＰｏＥの導入は、大幅なコストアップになるという問題がある。
【０００７】
また、特許文献１には、複写機の電源をオフする構成が開示されているが、特許文献１の構成においては、複写機の電源をオンすることができず、ユーザが所望のタイミングで印刷を行うことができないという問題があった。
【０００８】
本発明は、上記に鑑みてなされたものであって、コストの増加を抑えつつ、画像処理装置を電源オフの待機状態から適切なタイミングで電源オンすることができる画像処理システムおよび画像処理方法を提供することを目的とする。
【課題を解決するための手段】
【０００９】
上述した課題を解決し、目的を達成するために、本発明は、第１画像処理装置と、前記第１画像処理装置とネットワークを介して接続され、前記第１画像処理装置に対し画像処理の指示を送信する情報処理装置と、前記情報処理装置と前記ネットワークを介して接続され、前記第１画像処理装置に電力を供給する電力供給装置とを備えた画像処理システムであって、前記情報処理装置は、前記第１画像処理装置に対する所定の処理の実行指示を受け付ける実行指示受付部と、前記実行指示を受け付けた場合に、前記第１画像処理装置への電力供給の開始を指示する第１開始指示を前記電力供給装置に送信する第１送信部と、前記第１画像処理装置と通信可能か否かを監視する第１通信監視部と、前記第１画像処理装置との通信が可能となった場合に、前記実行指示と、前記処理の実行に必要な実行情報とを前記第１画像処理装置に送信する第２送信部とを有し、前記電力供給装置は、前記情報処理装置から、前記第１開始指示を受信する第１受信部と、前記第１開始指示を受信した場合に、前記第１画像処理装置への電力供給を開始する電力制御部とを有し、前記第１画像処理装置は、前記電力供給装置から電力が供給されると、当該第１画像処理装置の各部への電力供給を開始する第１電力供給部と、前記第１電力供給部による前記各部への電力供給が開始された場合に、前記情報処理装置から前記実行指示と前記実行情報とを受信する第２受信部と、前記実行情報に基づいて、前記実行指示に従い前記処理を実行する第１処理部とを有し、前記情報処理装置の前記第１送信部は、前記第１送信部が前記第１開始指示を送信してから予め定められた規定時間経過後に前記第１画像処理装置との通信が可能とならない場合には、前記第１画像処理装置への電力供給を停止した後に再度開始することを指示する再開始指示を前記電力供給装置に送信し、前記電力供給装置の前記第１受信部は、前記再開始指示をさらに受信し、前記電力供給装置の電力制御部は、前記第１受信部が前記再開始指示を受信した場合に、前記第１画像処理装置への電力供給を停止した後に、再度開始することを特徴とする。
【００１０】
また、本発明は、第１画像処理装置と、前記第１画像処理装置とネットワークを介して接続され、前記第１画像処理装置に対し画像処理の指示を送信する情報処理装置と、前記情報処理装置と前記ネットワークを介して接続され、前記第１画像処理装置に電力を供給する電力供給装置とを備えた画像処理システムであって、前記情報処理装置は、前記第１画像処理装置に対する所定の処理の実行指示を受け付ける実行指示受付部と、前記実行指示を受け付けた場合に、前記第１画像処理装置への電力供給の開始を指示する第１開始指示を前記電力供給装置に送信する第１送信部と、前記第１画像処理装置と通信可能か否かを監視する第１通信監視部と、前記第１画像処理装置との通信が可能となった場合に、前記実行指示と、前記処理の実行に必要な実行情報とを前記第１画像処理装置に送信する第２送信部とを有し、前記電力供給装置は、前記情報処理装置から、前記第１開始指示を受信する第１受信部と、前記第１開始指示を受信した場合に、前記第１画像処理装置への電力供給を開始する電力制御部とを有し、前記第１画像処理装置は、前記電力供給装置から電力が供給されると、当該第１画像処理装置の各部への電力供給を開始する第１電力供給部と、前記第１電力供給部による前記各部への電力供給が開始された場合に、前記情報処理装置から前記実行指示と前記実行情報とを受信する第２受信部と、前記実行情報に基づいて、前記実行指示に従い前記処理を実行する第１処理部とを有し、前記画像処理システムは、前記情報処理装置と前記ネットワークを介して接続され、前記電力供給装置から電力を供給される第２画像処理装置をさらに備え、前記第２画像処理装置は、前記電力供給装置から電力が供給されると、当該第２画像処理装置の各部への電力供給を開始する第２電力供給部と、前記第２電力供給部による前記各部への電力供給が開始された場合に、前記情報処理装置から前記実行指示と前記実行情報とを受信する第３受信部と、前記実行情報に基づいて、前記実行指示に従い前記処理を実行する第２処理部とを有し、前記情報処理装置の前記第１送信部は、前記第１送信部が前記第１開始指示を送信してから予め定められた規定時間経過後に前記第１画像処理装置との通信が可能とならない場合には、前記第２画像処理装置への電力供給の開始を指示する第２開始指示を前記電力供給装置に送信し、前記情報処理装置の前記第１通信監視部は、前記第２画像処理装置と通信可能か否かを監視し、前記情報処理装置は、前記第２画像処理装置との通信が可能となった場合に、前記実行指示と、前記実行情報とを前記第２画像処理装置に送信する第３送信部をさらに有し、前記電力供給装置の前記第１受信部は、前記情報処理装置から前記第２開始指示をさらに受信し、前記電力供給装置の前記電力制御部は、前記第２開始指示を受信した場合に、前記第２画像処理装置への電力供給を開始することを特徴とする。
【００１１】
また、本発明は、第１画像処理装置と、前記第１画像処理装置とネットワークを介して接続され、前記第１画像処理装置に対し画像処理の指示を送信する情報処理装置と、前記情報処理装置と前記ネットワークを介して接続され、前記第１画像処理装置に電力を供給する電力供給装置とを備えた画像処理システムで実行される画像処理方法であって、前記情報処理装置が、前記第１画像処理装置に対する所定の処理の実行指示を受け付けるステップと、前記情報処理装置が、前記実行指示を受け付けた場合に、前記第１画像処理装置への電力供給の開始を指示する第１開始指示を前記電力供給装置に送信するステップと、前記情報処理装置が、前記第１画像処理装置と通信可能か否かを監視するステップと、前記情報処理装置が、前記第１画像処理装置との通信が可能となった場合に、前記実行指示と、前記処理の実行に必要な実行情報とを前記第１画像処理装置に送信するステップと、前記電力供給装置が、前記情報処理装置から、前記第１開始指示を受信するステップと、前記電力供給装置が、前記第１開始指示を受信した場合に、前記第１画像処理装置への電力供給を開始するステップと、前記第１画像処理装置が、前記電力供給装置から電力が供給されると、当該第１画像処理装置の各部への電力供給を開始するステップと、前記第１画像処理装置が、前記各部への電力供給が開始された場合に、前記情報処理装置から前記実行指示と前記実行情報とを受信するステップと、前記第１画像処理装置が、前記実行情報に基づいて、前記実行指示に従い前記処理を実行するステップと、前記情報処理装置が、前記第１開始指示を送信してから予め定められた規定時間経過後に前記第１画像処理装置との通信が可能とならない場合には、前記第１画像処理装置への電力供給を停止した後に再度開始することを指示する再開始指示を前記電力供給装置に送信するステップと、前記電力供給装置が、前記再開始指示をさらに受信するステップと、前記電力供給装置が、前記再開始指示を受信した場合に、前記第１画像処理装置への電力供給を停止した後に、再度開始するステップと、を含むことを特徴とする。
また、本発明は、第１画像処理装置と、前記第１画像処理装置とネットワークを介して接続され、前記第１画像処理装置に対し画像処理の指示を送信する情報処理装置と、前記情報処理装置と前記ネットワークを介して接続され、前記第１画像処理装置に電力を供給する電力供給装置とを備えた画像処理システムで実行される画像処理方法であって、前記情報処理装置が、前記第１画像処理装置に対する所定の処理の実行指示を受け付けるステップと、前記情報処理装置が、前記実行指示を受け付けた場合に、前記第１画像処理装置への電力供給の開始を指示する第１開始指示を前記電力供給装置に送信するステップと、前記情報処理装置が、前記第１画像処理装置と通信可能か否かを監視するステップと、前記情報処理装置が、前記第１画像処理装置との通信が可能となった場合に、前記実行指示と、前記処理の実行に必要な実行情報とを前記第１画像処理装置に送信するステップと、前記電力供給装置が、前記情報処理装置から、前記第１開始指示を受信するステップと、前記電力供給装置が、前記第１開始指示を受信した場合に、前記第１画像処理装置への電力供給を開始するステップと、前記第１画像処理装置が、前記電力供給装置から電力が供給されると、当該第１画像処理装置の各部への電力供給を開始するステップと、前記第１画像処理装置が、前記各部への電力供給が開始された場合に、前記情報処理装置から前記実行指示と前記実行情報とを受信するステップと、前記第１画像処理装置が、前記実行情報に基づいて、前記実行指示に従い前記処理を実行するステップと、を含み、前記画像処理システムが、前記情報処理装置と前記ネットワークを介して接続され、前記電力供給装置から電力を供給される第２画像処理装置をさらに備え、前記画像処理方法は、前記第２画像処理装置が、前記電力供給装置から電力が供給されると、当該第２画像処理装置の各部への電力供給を開始するステップと、前記第２画像処理装置が、前記各部への電力供給が開始された場合に、前記情報処理装置から前記実行指示と前記実行情報とを受信するステップと、前記第２画像処理装置が、前記実行情報に基づいて、前記実行指示に従い前記処理を実行するステップと、前記情報処理装置が、前記第１開始指示を送信してから予め定められた規定時間経過後に前記第１画像処理装置との通信が可能とならない場合には、前記第２画像処理装置への電力供給の開始を指示する第２開始指示を前記電力供給装置に送信するステップと、前記情報処理装置が、前記第２画像処理装置と通信可能か否かを監視するステップと、前記情報処理装置が、前記第２画像処理装置との通信が可能となった場合に、前記実行指示と、前記実行情報とを前記第２画像処理装置に送信するステップと、前記電力供給装置が、前記情報処理装置から前記第２開始指示をさらに受信するステップと、前記電力供給装置が、前記第２開始指示を受信した場合に、前記第２画像処理装置への電力供給を開始するステップと、をさらに含むことを特徴とする。
【発明の効果】
【００１２】
本発明によれば、電力供給装置は、情報処理装置から実行指示を受け付けると、画像処理装置への電力供給を開始するので、画像処理装置は、電力供給が開始された後に実行指示を受信し、実行指示に従い処理を実行することができる。このように、画像処理装置の電源オンのためのユーザによる操作を不要とし、適切なタイミングで画像処理装置の電源をオンすることができる。すなわち、画像処理装置の電源オフの待機状態から、適切なタイミングで電源をオンすることができるという効果を奏する。
【図面の簡単な説明】
【００１３】
【図１】図１は、第１の実施の形態にかかる画像処理システムの全体構成を示す図である。
【図２】図２は、情報処理装置においてユーザから実行指示が入力された場合の画像処理システムの処理を示すシーケンス図である。
【図３】図３は、画像処理装置において電源オフ要因が発生した場合の画像処理システムの処理を示すシーケンス図である。
【図４】図４は、第１の変更例にかかる画像処理システムの処理を示すシーケンス図である。
【図５】図５は、第２の実施の形態にかかる画像処理システムの全体構成を示す図である。
【図６】図６は、情報処理装置においてユーザから実行指示が入力された場合の画像処理システムの処理を示すシーケンス図である。
【図７】図７は、第３の実施の形態にかかる画像処理システムの全体構成を示す図である。
【図８】図８は、情報処理装置においてユーザから実行指示が入力された場合の画像処理システムの処理を示すシーケンス図である。
【図９】図９は、第４の実施の形態にかかる画像処理システムの全体構成を示す図である。
【図１０】図１０は、第１画像処理装置において電源オフ要因が発生した場合の画像処理システムの処理を示すシーケンス図である。
【図１１】図１１は、情報処理装置において電源オフ要因が発生した場合の、画像処理システムの処理を示すシーケンス図である。
【図１２】図１２は、第５の実施の形態の画像処理システムのネットワーク構成図である。
【図１３】図１３は、第５の実施の形態において電力供給装置に接続された画像処理装置を検知する処理のシーケンス図である。
【図１４】図１４は、第５の実施の形態における画像処理システムにおいて、各画像処理装置と各電源供給装置とをＰＬＣ電力線で接続した構成を示す図である。
【図１５】図１５は、第１〜５の実施の形態にかかる画像処理装置のハードウェア構成図である。
【発明を実施するための形態】
【００１４】
以下に添付図面を参照して、この発明にかかる画像処理システムおよび画像処理方法の実施の形態を詳細に説明する。
【００１５】
（第１の実施の形態）
図１は、第１の実施の形態にかかる画像処理システム１の全体構成を示す図である。画像処理システム１は、情報処理装置１００と、電力供給装置２００と、画像処理装置３００とを備えている。情報処理装置１００と、電力供給装置２００と、画像処理装置３００はネットワーク４００を介して接続している。
【００１６】
情報処理装置１００は、ユーザから画像処理装置３００に対する印刷指示等の指示を受け付ける。画像処理装置３００は、情報処理装置１００においてユーザから入力された印刷指示等の指示に従い画像にかかる処理を行う。電力供給装置２００は、画像処理装置３００と電力線で接続されており、電力線を介して画像処理装置３００への電力供給を行う。電力供給装置２００は、情報処理装置１００または画像処理装置３００からの指示に従い、画像処理装置３００への電力供給のオンオフを制御する。電力供給装置２００は、例えば、分電盤や電源タップ等であってもよい。電力供給装置２００は、複数の機器に電力を供給することができるが、本実施の形態においては、画像処理装置３００にのみ電力を供給する例について説明する。
【００１７】
情報処理装置１００は、通信部１０１と、通信監視部１０２と、受付部１０３と、実行指示処理部１０４と、電力処理部１０５とを有している。通信部１０１は、ネットワーク４００を介して電力供給装置２００および画像処理装置３００と通信する。
【００１８】
通信監視部１０２は、画像処理装置３００との通信が確立したか否かを監視する。すなわち、通信監視部１０２は、ネットワーク４００を介して画像処理装置３００と通信を行うことができるか否かを監視する。画像処理装置３００は、電力供給装置２００により電力線を介して電源のオンオフが制御されており、通信部１０１は、画像処理装置３００の電源オフの状態においては画像処理装置３００と通信を行うことができない。そこで、通信監視部１０２は、通信部１０１が正常に画像処理装置３００と通信を行うべく、画像処理装置３００との通信が確立したか否かを監視する。
【００１９】
受付部１０３は、ユーザから各種情報の入力を受け付ける。受付部１０３は、例えば、画像処理装置３００における所定の処理の実行を指示する実行指示の入力を受け付ける。実行指示としては、画像処理装置３００における所定の画像データに対する印刷指示や、画像処理装置３００においてスキャンされたスキャンデータを情報処理装置１００において閲覧すべくスキャンデータの送信を指示する送信指示などがある。受付部１０３はまた、画像処理装置３００の電源オンオフの指示を受け付ける。受付部１０３は、実行指示受付部および電源オフ指示受付部として機能する。
【００２０】
実行指示処理部１０４は、例えばプリンタドライバであり、受付部１０３が受け付けた実行指示に従い、画像処理装置３００に実行指示を送信するための処理を行う。例えば、画像データと画像データに対する印刷指示に基づいて、印刷ジョブを作成し、印刷ジョブを画像処理装置３００に送信することを通信部１０１に指示する。
【００２１】
電力処理部１０５は、画像処理装置３００の電源オンオフにかかる処理を行う。具体的には、電力処理部１０５は、画像処理装置３００への電力供給開始を指示する開始指示を電力供給装置２００に送信することを通信部１０１に指示する。電力処理部１０５はまた、画像処理装置３００への電力供給停止を指示する停止指示を電力供給装置２００に送信することを通信部１０１に指示する。
【００２２】
本実施の形態では、電力供給装置２００に電力線で接続された画像処理装置３００、すなわち、どの電力供給装置２００にどの画像処理装置３００が接続されているかという接続関係を、予めシステム管理者等が把握しておき、その画像処理装置３００を識別するための識別情報としてのＩＤを、接続された電力供給装置２００のＩＤと対応付けて、情報処理装置１００の記憶部（不図示）に保存（設定）しておく。
【００２３】
これにより、情報処理装置１００は、印刷ジョブを画像処理装置３００に送信する際には、記憶部を参照して、画像処理装置３００のＩＤに対応するＩＤの電力供給装置２００に電源オンの指令を送信すればよい。
【００２４】
なお、電力供給装置２００に接続される画像処理装置３００が変更された場合には、システム管理者等は、変更後の画像処理装置３００のＩＤを、電力供給装置２００のＩＤに対応付けて記憶部に保存する。
【００２５】
電力供給装置２００は、通信部２０１と、電力制御部２０２と、電力測定部２０３とを有している。通信部２０１は、ネットワーク４００を介して情報処理装置１００および画像処理装置３００と通信を行う。電力制御部２０２は、情報処理装置１００または画像処理装置３００からの指示に従い、画像処理装置３００への電力供給のオンオフを制御する。
【００２６】
電力測定部２０３は、画像処理装置３００に供給する電力を測定する。電力測定部２０３により測定された測定結果は、通信部２０１により情報処理装置１００または画像処理装置３００に送信される。ユーザは、情報処理装置１００等において、測定結果の閲覧や分析を行うことができる。
【００２７】
画像処理装置３００は、通信部３０１と、電源３０２と、タイマー３０４と、受付部３０５と、画像処理部３０６と、電源オフ準備部３０７とを有している。通信部３０１は、ネットワーク４００を介して情報処理装置１００および電力供給装置２００と通信を行う。電源３０２は、電力供給装置２００からの電力を画像処理装置３００の各部に供給する。すなわち、電源３０２は、電力供給部として機能する。
【００２８】
タイマー３０４は、時間を計測する。受付部３０５は、ユーザから実行指示の入力を受け付ける。受付部３０５はまた、ユーザから電源３０２のオンオフの指示の入力を受け付ける。受付部３０５はまた、タイマー３０４から所定のタイミングで電源３０２のオンオフの指示を受け付ける。受付部３０５は、電源オフ指示受付部として機能する。なお、タイマー３０４からの電源３０２のオンオフ指示により、画像処理装置３００は、予め設定されたタイムスケジュールで電源３０２をオンオフすることができる。
【００２９】
画像処理部３０６は、受付部３０５が受け付けた実行指示や、通信部３０１を介して情報処理装置１００から受信した印刷ジョブに従い、画像処理を行う。電源オフ準備部３０７は、受付部３０５が電源オフの指示を受け付けた場合や、通信部３０１を介して電源オフの指示を受信した場合に、安全に電源オフを行うための電源オフ準備処理を行う。電源オフ準備処理としては、実行中の所定のタスクの終了、所定のデータの保存などがある。
【００３０】
図２は、情報処理装置１００においてユーザから印刷処理にかかる実行指示が入力された場合の画像処理システム１の各装置の処理を示すシーケンス図である。なお、実行指示が入力された時点においては、画像処理装置３００の電源３０２はオフの状態にあるものとする。
【００３１】
情報処理装置１００において、受付部１０３がユーザから印刷処理にかかる実行指示を受け付けると、実行指示処理部１０４は、実行指示にかかる処理を行う（ステップＳ１００）。具体的には、印刷処理の対象となる画像データと、実行指示に基づいて、印刷ジョブを生成する。
【００３２】
さらに、電力処理部１０５は、通信部１０１を介して、実行指示に示される処理を担当する装置である画像処理装置３００への電力供給の開始を指示する開始指示を電力供給装置２００に送信する（ステップＳ１０１）。開始指示の送信後、通信監視部１０２は、画像処理装置３００との通信が確立したか否か、すなわち画像処理装置３００と通信可能か否かを監視する。
【００３３】
一方、電力供給装置２００においては、通信部２０１が情報処理装置１００から開始指示を受信すると、電力制御部２０２は、電力線を介して、画像処理装置３００への電力供給を開始する（ステップＳ１１０）。
【００３４】
画像処理装置３００においては、電力供給が開始されると、電源３０２がオンになり、電源３０２から画像処理装置３００の各部に電力が供給される（ステップＳ１２０）。電源３０２がオンになると、通信部３０１は、画像処理装置１００をネットワーク４００に接続するための処理を行う（ステップＳ１２１）。
【００３５】
情報処理装置１００においては、予め設定されたタイムアウトの判断基準となる規定時間が経過する前に（ステップＳ１０２，Ｎｏ）、通信監視部１０２が、画像処理装置３００と通信が確立したことを検出した場合、すなわち、画像処理装置３００との通信が可能となった場合には（ステップＳ１０３，Ｙｅｓ）、通信部１０１は、実行指示処理部１０４により生成された印刷ジョブをネットワーク４００を介して画像処理装置３００に送信する（ステップＳ１０４）。一方、ステップＳ１０３において、画像処理装置３００との通信が確立していない場合には（ステップＳ１０３，Ｎｏ）、ステップＳ１０２に戻る。
【００３６】
なお、ステップＳ１０２において、情報処理装置１００の通信監視部１０２は、画像処理装置３００との通信が可能であると判断する前に、規定時間が経過すると（ステップＳ１０２，Ｙｅｓ）、図示せぬ表示部等のユーザインターフェースを介してユーザにエラーを通知する（ステップＳ１０５）。
【００３７】
画像処理装置３００においては、通信部３０１は、情報処理装置１００から印刷ジョブを受信すると、画像処理部３０６は、印刷ジョブに従い画像処理を行う（ステップＳ１２２）。すなわち、画像処理部３０６は、画像を印刷する。以上で、画像処理システム１の処理が完了する。
【００３８】
このように、本実施の形態にかかる画像処理システム１においては、情報処理装置１００において、ユーザから画像処理装置３００における所定の処理にかかる実行指示が入力されると、電力供給装置２００による制御により、画像処理装置３００の電源３０２が自動的にオンになり、電源３０２がオンになった後に、情報処理装置１００から自動的に印刷ジョブが送信される。すなわち、画像処理装置３００を待機状態にし、ネットワーク接続を含む画像処理装置３００の一部への電力供給を維持していなくとも、画像処理装置３００において、情報処理装置１００においてユーザから入力された実行指示に従い処理を開始することができる。したがって、画像処理装置３００の待機状態を維持するための電力消費をなくすことができ、省エネ化を図ることができる。
【００３９】
さらに、ユーザは、画像処理装置３００の電源３０２がオンであるかオフであるかを気にすることなく、情報処理装置１００において所望の実行指示を入力すればよく、電源３０２のオンオフにかかわらず簡単な操作で画像処理装置３００の実行指示に応じた処理を実行させることができる。また、ＰｏＥの導入も不要であることから、低コストで画像処理装置３００を自動的にオンする構成を実現することができる。
【００４０】
図３は、画像処理装置３００において電源３０２をオフする電源オフ要因が発生した場合の画像処理システム１の各装置の処理を示すシーケンス図である。電源オフ要因としては、受付部３０５がユーザによる電源オフ指示の入力を受け付けた場合や、タイマー３０４が予め設定された電源オフの時刻を計測し、受付部３０５がタイマー３０４から電源オフ指示を受け付けた場合、通信部３０１が情報処理装置１００から電源オフ指示を受信した場合などがある。
【００４１】
図３に示すように、画像処理装置３００において電源オフ要因が発生すると（ステップＳ２００）、電源オフ準備部３０７は、安全に電源をオフするための処理である電源オフ準備処理を行う（ステップＳ２０１）。
【００４２】
ここで、電源オフ準備処理は、急な電源オフに起因する記憶媒体の故障やデータ破損を防止するための処理である。電源オフ準備処理としては、例えば、ＨＤＤに対してＳｔｏｐコマンドの発行を行って、ディスクの回転を停止させる処理や、フラッシュメモリに対して書き込み停止コマンドを発行して、書き込みを停止させる処理等が該当する。ただし、電源オフ準備処理としては、これらの処理に限定されるものではない。
【００４３】
このように、電源オフの前に電源オフ準備処理を行うことにより、画像処理装置３００が備える、後述の不揮発性メモリやＨＤＤの故障や、データの破損を防ぐことができる。なお、画像処理装置３００が故障等の可能性のあるデバイスを備えていない場合には、電源オフ準備処理は行わなくてもよい。
【００４４】
画像処理装置３００の電源オフ準備部３０７による電源オフ準備処理が完了すると、通信部３０１は、電源オフ準備処理が完了した旨の準備処理完了通知を、ネットワーク４００を介して電力供給装置２００へ送信する（ステップＳ２０２）。電力供給装置２００においては、通信部２０１が準備処理完了通知を受信すると、電力制御部２０２は、画像処理装置３００への電力線を介した電力供給を停止する（ステップＳ２１０）。以上で、電源オフ処理が完了する。
【００４５】
このように、本実施の形態にかかる画像処理システム１においては、画像処理装置３００はリレーなどの電源遮断手段を備えなくとも、電力供給装置２００の制御により画像処理装置３００の電源３０２をオフすることができる。したがって、低コストで自動的に画像処理装置３００の電源３０２をオフする構成を実現することができる。さらに、図３を参照しつつ説明した処理により、画像処理装置３００の電源を完全にオフした場合であっても、図２を参照しつつ説明した処理により、情報処理装置１００においてユーザから実行指示が入力された場合には、電力供給装置２００は、自動的に再び画像処理装置３００の電源３０２をオンすることができる。
【００４６】
図４は、第１の変更例にかかる画像処理システム１の処理を示すシーケンス図である。本例においては、ステップＳ１０２において規定時間が経過しても画像処理装置３００との通信が確立しない場合に、画像処理装置３００の電源３０２を一旦オフし、再び電源３０２をオンし、再度画像処理装置３００との通信の確立を待つ。
【００４７】
具体的には、ステップＳ１０２において、規定時間が経過した場合には（ステップＳ１０２，Ｙｅｓ）、通信監視部１０２は、通信部１０１を介して、電力供給装置２００に対し、画像処理装置３００への電力供給の停止指示を送信する（ステップＳ１３０）。このとき、電力供給装置２００において、通信部２０１は停止指示を受信し、電力制御部２０２は、画像処理装置３００への電力供給を停止する。
【００４８】
情報処理装置１００においては、ステップＳ１３１において、ステップＳ１０１における開始指示の送信とステップＳ１３０における停止指示の送信の処理を予め設定された規定回数行っていない場合には（ステップＳ１３１，Ｎｏ）、再びステップＳ１０１に戻り、電力処理部１０５は、通信部１０１を介して再び電力供給装置２００に開始指示を送信する（ステップＳ１０１）。そして、ステップＳ１０３へ進み、再び通信監視部１０２は画像処理装置３００と通信が確立するか否かを監視する。一方、ステップＳ１３１において、停止指示の送信の処理を規定回数行った場合には（ステップＳ１３１，Ｙｅｓ）、通信監視部１０２は、エラーを通知する（ステップＳ１３２）。なお、画像処理システム１のこれ以外の処理は、図２を参照しつつ説明した処理と同様である。
【００４９】
以上のように、情報処理装置１００は、ステップＳ１０２において規定時間が経過しても画像処理装置３００との通信が確立しない場合に、画像処理装置３００の電源３０２を一旦オフし、再び電源３０２をオンし、再度画像処理装置３００との通信の確立を待つので、電力供給装置２００から画像処理装置３００に電力が供給され、電源３０２がオンされたときに、画像処理装置３００が正常に動作しない場合であっても、一旦電源３０２をオフし再度電源３０２をオンすることにより、正常に動作させることができる。
【００５０】
（第２の実施の形態）
図５は、第２の実施の形態にかかる画像処理システム２の全体構成を示す図である。情報処理装置１１０、電力供給装置２１０、画像処理装置３００のそれぞれがネットワーク４００を介して接続されている点、電力供給装置２１０と画像処理装置３００とが電力線で接続されている点については、第１の実施の形態と同様である。
【００５１】
第２の実施の形態にかかる画像処理システム２においては、情報処理装置１１０は、通信監視部１０２を有さず、電力供給装置２１０は、通信監視部２０４を有している。
【００５２】
情報処理装置１１０の実行指示処理部１０４は、受付部１０３が受け付けた実行指示に従い作成した印刷ジョブを電力供給装置２１０に送信することを通信部１０１に指示する。電力供給装置２１０の通信監視部２０４は、画像処理装置３００との通信が確立したか否かを監視する。なお、これ以外の情報処理装置１１０、電力供給装置２１０および画像処理装置３００の機能構成は、第１の実施の形態にかかる画像処理装置１００、電力供給装置２００および画像処理装置３００の機能構成と同様である。
【００５３】
図６は、情報処理装置１１０においてユーザから印刷処理にかかる実行指示が入力された場合の画像処理システム２の各装置の処理を示すシーケンス図である。情報処理装置１１０において、受付部１０３がユーザから印刷処理にかかる実行指示を受け付けると、実行指示処理部１０４は、実行指示にかかる処理を行い、印刷ジョブを生成する（ステップＳ１００）。次に、通信部１０１は、実行指示処理部１０４から送信を指示された印刷ジョブと、電力処理部１０５から送信を指示された開始指示とを電力供給装置２１０に送信する（ステップＳ１０６）。
【００５４】
このように、本実施の形態においては、情報処理装置１１０は、開始指示とともに、画像処理装置３００において実行指示に応じた処理を実行するために必要なすべての情報である実行情報と実行指示とを含む印刷ジョブを画像処理装置３００ではなく電力供給装置２１０に送信する。これにより、情報処理装置１１０は、画像処理装置３００との通信が確立するまで待つことなく、実行指示にかかる処理をステップＳ１０６により終了することができる。
【００５５】
電力供給装置２１０においては、通信部２０１が情報処理装置１１０から開始指示と、印刷ジョブを受信すると、電力制御部２０２は、電力線を介して、画像処理装置３００への電力供給を開始する（ステップＳ１１０）。さらに、通信監視部２０４は、画像処理装置３００とのネットワーク４００を介した通信が確立したか否かを監視する。そして、通信監視部２０４は、規定時間経過前に（ステップＳ１４０，Ｎｏ）、画像処理装置３００との通信が確立したことを検出した場合、すなわち画像処理装置３００とのネットワーク４００を介した通信が可能となった場合には（ステップＳ１４１，Ｙｅｓ）、通信部２０１は、情報処理装置１１０から受信した印刷ジョブを、ネットワーク４００を介して画像処理装置３００に送信する（ステップＳ１４２）。なお、これ以外の処理は、図２を参照しつつ説明した第１実施の形態における画像処理システム１の処理と同様である。
【００５６】
（第３の実施の形態）
図７は、第３の実施の形態にかかる画像処理システム３の全体構成を示す図である。第３の実施の形態にかかる画像処理システム３は、第１画像処理装置３２０ａと第２画像処理装置３２０ｂの２つの画像処理装置を備えている。電力供給装置２２０は、電力線で画像処理装置３２０ａ，３２０ｂのそれぞれに接続されており、各電力線を介して画像処理装置３２０ａ，３２０ｂへの電力供給を制御する。また、情報処理装置１２０、電力供給装置２２０、画像処理装置３２０ａ，３２０ｂのそれぞれはネットワーク４００を介して接続されている。
【００５７】
本実施の形態においては、情報処理装置１２０において受付部１０３が受け付けた実行指示に対する処理は、第１画像処理装置３２０ａまたは第２画像処理装置３２０ｂにおいて実行される。また、情報処理装置１２０の通信監視部１０２は、画像処理装置３２０ａ，３２０ｂがネットワーク４００に接続されているか否かを監視する。電力処理部１０５は、画像処理装置３２０ａ，３２０ｂの電源オンオフにかかる処理を行う。
【００５８】
電力供給装置２２０の電力制御部２０２は、電力線を介して画像処理装置３２０ａ，３２０ｂへの電力供給のオンオフを制御する。電力測定部２０３は、画像処理装置３２０ａ，３２０ｂに供給する電力を測定し、測定結果を情報処理装置１２０又は画像処理装置３２０ａ，３２０ｂに送信する。
【００５９】
なお、これ以外の情報処理装置１２０および電力供給装置２２０の機能構成は、それぞれ第１の実施の形態にかかる情報処理装置１００および電力供給装置２００の機能構成と同様である。また、画像処理装置３２０ａ，３２０ｂの機能構成は、いずれも第１の実施の形態にかかる画像処理装置３００の機能構成と同様である。
【００６０】
図８は、情報処理装置１２０においてユーザから実行指示が入力された場合の画像処理システム３の処理を示すシーケンス図である。なお、実行指示が入力された時点において、画像処理装置３２０ａ，３２０ｂは、電源オフの状態にあるものとする。
【００６１】
なお、図８においては、第１の実施の形態において、図２を参照しつつ説明したステップＳ１０２において、情報処理装置１００が画像処理装置３００との通信の確立を検出する前に、規定時間が経過した場合（ステップＳ１０２，Ｙｅｓ）の処理を示している。すなわち、図２におけるステップＳ１０２において、規定時間が経過した場合（ステップＳ１０２，Ｙｅｓ）に、図８のステップＳ１５０に進む。なお、図２における画像処理装置３００による処理は、本実施の形態の画像処理システム３においては、第１画像処理装置３２０ａにおいて行われ、図２における画像処理装置３００との通信は、本実施の形態の画像処理システム３においては第２画像処理装置３２０ｂとの通信とする。
【００６２】
ステップＳ１０２において、規定時間が経過すると（ステップＳ１０２，Ｙｅｓ）、電力処理部１０５は、通信部１０１を介して電力供給装置２２０に第１画像処理装置３２０ａへの電力供給の停止指示を送信する（ステップＳ１５０）。さらに、電力処理部１０５は、通信部１０１を介して電力供給装置２２０に第２画像処理装置３２０ｂへの電力供給の開始指示を送信する（ステップＳ１５１）。
【００６３】
電力供給装置２２０は、通信部２０１が情報処理装置１２０から第１画像処理装置３２０ａに対する停止指示と、第２画像処理装置３２０ｂに対する開始指示を受信すると、電力制御部２０２は、第１画像処理装置３２０ａへの電力供給を停止し（ステップＳ１６０）、さらに、電力線を介して第２画像処理装置３２０ｂへの電力供給を開始する（ステップＳ１６１）。
【００６４】
これにより、第１画像処理装置３２０ａは電源オフされる。一方、第２画像処理装置３２０ｂは、電力供給が開始されると、電源３０２がオンになり、第２画像処理装置３２０ｂの各部に電力が供給される（ステップＳ１７０）。電源オンになると、通信部３０１は、ネットワーク４００への接続のための処理を行う（ステップＳ１７１）。
【００６５】
情報処理装置１２０においては、図２のステップＳ１０２からステップＳ１０５における第１画像処理装置３２０ａに対する処理と同様の処理を第２画像処理装置３２０ｂに対して行う。すなわち、情報処理装置１２０の通信監視部１０２が、規定時間が経過する前に（ステップＳ１５２，Ｎｏ）、第２画像処理装置３２０ｂとの通信の確立を検出すると（ステップＳ１５３，Ｙｅｓ）、通信部１０１は、実行指示処理部１０４により生成された印刷ジョブをネットワーク４００を介して第２画像処理装置３２０ｂに送信する（ステップＳ１５４）。
【００６６】
なお、ステップＳ１５２において、情報処理装置１２０の通信監視部１０２は、第２画像処理装置３２０ｂとの通信の確立を検出する前に規定時間が経過すると（ステップＳ１５２，Ｙｅｓ）、図示せぬ表示部等のユーザインターフェースを介してユーザにエラーを通知する（ステップＳ１５５）。
【００６７】
第２画像処理装置３２０ｂにおいては、通信部３０１は、情報処理装置１２０から印刷ジョブを受信すると、画像処理部３０６は、印刷ジョブに従い画像処理を行う（ステップＳ１７２）。すなわち、画像処理部３０６は、画像を印刷する。以上で、画像処理システム３における処理が完了する。
【００６８】
第３の実施の形態にかかる画像処理システム３においては、このように、第１画像処理装置３２０ａとの通信が確立しない場合には、情報処理装置１２０と電力供給装置２２０の協働により、ネットワーク４００に接続された第１画像処理装置３２０ａ以外の画像処理装置である第２画像処理装置３２０ｂの電源３０２をオンにし、情報処理装置１２０と第２画像処理装置３２０ｂの間の通信を確立し、第２画像処理装置３２０ｂにおいて処理を実行させることができる。
【００６９】
これにより、何らかの理由で、情報処理装置１２０と第１画像処理装置３２０ａとの通信が確立しない場合であっても、情報処理装置１２０は、第２画像処理装置３２０ｂとの通信を確立し、第２画像処理装置３２０ｂにおいて、ユーザの所望の処理を実行することができる。
【００７０】
（第４の実施の形態）
図９は、第４の実施の形態にかかる画像処理システム４の全体構成を示す図である。画像処理システム４は、情報処理装置１３０と、第１電力供給装置２３０ａと、第２電力供給装置２３０ｂと、第３電力供給装置２３０ｃと、第１画像処理装置３３０ａと、第２画像処理装置３３０ｂと、第３画像処理装置３３０ｃと、ゲートウェイ５００とを備えている。なお、画像処理システム４が備える画像処理装置および電力供給装置の台数は実施の形態に限定されるものではない。
【００７１】
画像処理システム４においては、画像処理装置３３０ａ〜３３０ｃと、情報処理装置１３０は、ネットワーク４１０を介して接続している。電力供給装置２３０ａ〜２３０ｃは、無線通信網６００に接続している。ネットワーク４１０と無線通信網６００はゲートウェイ５００を介して接続している。無線通信網６００は、例えばＺｉｇＢｅｅ（登録商標）であってもよい。また、他の例としては、電力供給装置２３０ａ〜２３０ｃは、無線通信網６００でなく、ゲートウェイ５００に接続された有線の通信網に接続されてもよい。
【００７２】
また、電力供給装置２３０ａ〜２３０ｃのそれぞれは、画像処理装置３３０ａ〜３３０ｃのそれぞれと電力線で接続されており、電力供給装置２３０ａ〜２３０ｃのそれぞれが各電力線を介して、画像処理装置３３０ａ〜３３０ｃのそれぞれに電力供給を行う。なお、図９では、第１電力供給装置２３０ａが電力線を介して、画像処理装置３３０ａ〜３３０ｃのそれぞれに電力供給を行うことを示しているが、第２電力供給装置２３０ｂ、第３電力供給装置２３０ｃについても同様である。
【００７３】
本実施の形態においては、情報処理装置１３０は、ゲートウェイ５００を介して電力供給装置２３０ａ〜２３０ｃと通信を行うが、画像処理装置３３０ａ〜３３０ｃは、ネットワーク４１０を介する通信のみを行い、電力供給装置２３０ａ〜２３０ｃとの直接の通信は行わない。これにより、ゲートウェイ５００の制御は、情報処理装置１３０のみが行えればよく、画像処理装置３３０ａ〜３３０ｃの処理が複雑になるのを避けることができる。
【００７４】
情報処理装置１３０の通信部１０１は、ネットワーク４１０を介して画像処理装置３３０ａ〜３３０ｃと通信する。情報処理装置１３０の通信部１０１はまた、ネットワーク４１０および無線通信網６００を介して電力供給装置２３０ａ〜２３０ｃと通信する。情報処理装置１３０のこれ以外の機能構成は、図１を参照しつつ説明した第１の実施の形態にかかる情報処理装置１００の機能構成と同様である。
【００７５】
電力供給装置２３０ａ〜２３０ｃの機能構成は、いずれも図１を参照しつつ説明した第１の実施の形態にかかる電力供給装置２００の機能構成と同様である。また、画像処理装置３３０ａ〜３３０ｃの機能構成は、いずれも図１を参照しつつ説明した第１の実施の形態にかかる画像処理装置３００の機能構成と同様である。なお、本実施の形態においては、第１電力供給装置２３０ａが画像処理装置３３０ａ〜３３０ｃへの電力供給を制御し、画像処理装置３３０ａ〜３３０ｃに供給する電力の測定等の処理を行うこととする。
【００７６】
画像処理システム４においても、他の実施の形態において説明したのと同様に、情報処理装置１３０においてユーザから実行指示が入力されると、画像処理装置３３０ａ〜３３０ｃのうち所定の画像処理装置の電源３０２がオンされ、ユーザの所望の指示が実行される。さらに、画像処理システム４においても、画像処理装置３３０ａ〜３３０ｃのうち電源オンの状態の画像処理装置を適切なタイミングで電源オフすることができる。
【００７７】
図１０は、第１画像処理装置３３０ａにおいて電源オフ要因が発生した場合の画像処理システム４の各装置の処理を示すシーケンス図である。第１画像処理装置３３０ａにおいて電源オフ要因が発生すると（ステップＳ３００）、第１画像処理装置３３０ａの電源オフ準備部３０７は、電源オフ準備処理を行う（ステップＳ３０１）。次に、第１画像処理装置３３０ａの電源オフ準備部３０７は、通信部３０１を介して、情報処理装置１３０に電源オフ準備処理が完了した旨の準備処理完了通知を送信する（ステップＳ３０２）。
【００７８】
情報処理装置１３０の通信部１０１が準備処理完了通知を受信すると、電力処理部１０５は、通信部１０１を介して第１電力供給装置２３０ａに対し第１画像処理装置３３０ａへの電力供給の停止指示を送信する（ステップＳ３０３）。
【００７９】
第１電力供給装置２３０ａの通信部２０１が、情報処理装置１３０から第１画像処理装置３３０ａの停止指示を受信すると、電力制御部２０２は、第１画像処理装置３３０ａへの電力線を介した電力供給を停止する（ステップＳ３１０）。以上で、画像処理システム４における処理が完了する。
【００８０】
このように、本実施の形態にかかる画像処理システム４においては、第１画像処理装置３３０ａにおいて電源オフ要因が発生した場合には、第１画像処理装置３３０ａは同一のネットワーク４１０に接続された情報処理装置１３０を介して、第１電力供給装置２３０ａに第１画像処理装置３３０ａへの電力供給を停止させることができる。このように、第１画像処理装置３３０ａと第１電力供給装置２３０ａとが直接通信を行えない場合であっても、情報処理装置１３０を介して、第１画像処理装置３３０ａを電源オフすることができる。
【００８１】
なお、図１０においては、第１画像処理装置３３０ａにおいて電源オフ要因が発生した場合について説明したが、他の画像処理装置３３０ｂ，３３０ｃにおいて電源オフ要因が発生した場合も同様である。
【００８２】
図１１は、情報処理装置１３０において第１画像処理装置３３０ａの電源オフ要因が発生した場合の、画像処理システム４の各装置の処理を示すシーケンス図である。なお、情報処理装置１３０における第１画像処理装置３３０ａの電源オフ要因とは、受付部１０３がユーザから入力された第１画像処理装置３３０ａの電源オフ指示を受け付けた場合や、情報処理装置１３０の図示せぬタイマーが電源オフのタイミングを検出し、受付部１０３がタイマーから電源オフ指示を受け付けた場合などがある。
【００８３】
図１１に示すように、情報処理装置１３０において電源オフ要因が発生すると（ステップＳ３２０）、情報処理装置１３０の電力処理部１０５は、通信部１０１を介して第１画像処理装置３３０ａに対し、電源オフ準備処理を行うことを指示する電源オフ準備処理指示を送信する（ステップＳ３２１）。
【００８４】
第１画像処理装置３３０ａの通信部３０１が電源オフ準備処理指示を受信すると、電源オフ準備部３０７は、電源オフ準備処理を行う（ステップＳ３２２）。そして、電源オフ準備部３０７は、電源オフ準備処理が完了すると、通信部３０１を介して、電源オフ準備処理が完了したことを示す準備処理完了通知を情報処理装置１３０に送信する（ステップＳ３２３）。
【００８５】
情報処理装置１３０においては、通信部１０１が準備処理完了通知を受信すると、電力処理部１０５は、通信部１０１を介して、第１電力供給装置２３０ａに対し、第１画像処理装置３３０ａへの電力供給の停止指示を送信する（ステップＳ３２４）。
【００８６】
第１電力供給装置２３０ａにおいては、通信部２０１が第１画像処理装置３３０ａの停止指示を受信すると、電力制御部２０２は、第１画像処理装置３３０ａへの電力線を介した電力供給を停止する（ステップＳ３３０）。以上で、画像処理システム４における処理が完了する。
【００８７】
このように、情報処理装置１３０において電源オフ要因が発生した場合には、第１画像処理装置３３０ａにおいて電源オフ準備処理を実行させた後に、第１画像処理装置３３０ａの電源３０２をオフするので、電源オフの対象となる画像処理装置に対し電源オフ前にユーザが所定の操作を行うことなく、自動的に安全に画像処理装置の電源をオフすることができる。
【００８８】
なお、図１１においては、情報処理装置１３０において、第１画像処理装置３３０ａに対する電源オフ要因が発生した場合について説明したが、情報処理装置１３０において、他の画像処理装置３３０ｂ，３３０ｃに対する電源オフ要因が発生した場合の処理は、図１１において説明した処理と同様である。
【００８９】
また、本実施の形態において、画像処理装置３３０ａ〜３３０ｃで印刷しようとして正常に起動しなかった場合には、一度、画像処理装置３３０ａ〜３３０ｃを電源オフした後電源オンにしてから、再度、情報処理装置１３０から画像処理装置３３０ａ〜３３０ｃに印刷ジョブを送信するように構成したり、他の画像処理装置３３０ａ〜３３０ｃを電源オンにして、当該画像処理装置で印刷を実行するように構成してもよい。このように他の画像処理装置３３０ａ〜３３０ｃで印刷を実行した場合には、その旨をユーザに通知することが好ましい。
【００９０】
（第５の実施の形態）
第１〜４の実施の形態では、電力供給装置と画像処理装置とが、ネットワークで接続されて、かつ電力供給のための電力線で接続されていたが、この第５の実施の形態では、電力供給装置と画像処理装置とが、情報の搬送とともに電力供給が可能な電力通信線で接続されている。
【００９１】
図１２は、第５の実施の形態の画像処理システムのネットワーク構成図である。本実施の形態の画像処理システムは、図１２に示すように、画像処理装置３５０と、電力供給装置２５０と、情報処理装置１００とが、ネットワーク４００で接続されている。また、本実施の形態では、画像処理装置３５０と電力供給装置２５０とが、省電力な通信手段として、情報の搬送とともに電力供給が可能な電力通信線である、ＰＬＣ（Ｐｏｗｅｒ  Ｌｉｎｅ  Ｃｏｍｍｕｎｉｃａｔｉｏｎ）の電力線で接続されている。
【００９２】
ここで、ＰＬＣは、電力線を通信回線として利用する技術であり、具体的には、電力線を流れる電気信号に情報信号を重ねて流し、双方向通信を行う方式である。ＰＬＣの電力線７００を、以下、単にＰＬＣ電力線７００という。
【００９３】
本実施の形態では、ＰＬＣアダプタが電力供給装置２５０と画像処理装置３５０のそれぞれに設けられており、各ＰＬＣアダプタ間をＰＬＣ電力線７００を接続することより、電力供給装置２５０と画像処理装置３５０とがＰＬＣ電力線７００で接続される。
【００９４】
本実施の形態の電力供給装置２５０の電力制御部２０２は、ＰＬＣ電力線７００を介して画像処理装置３５０に電力供給を行う。また、電力供給装置２５０の通信部２０１と、画像処理装置３５０の通信部３０１は、ＰＬＣ電力線７００を介して双方向に各種の情報を通信可能となっている。
【００９５】
電力供給装置２５０、画像処理装置３５０のこれ以外の機能的構成は、第１の実施の形態と同様である。また、情報処理装置１００の機能的構成も第１の実施の形態と同様である。
【００９６】
本実施の形態では、電力供給装置２５０と画像処理装置３５０とがＰＬＣ電力線７００で接続されているので、情報処理装置１００は、どの電力供給装置２５０にどの画像処理装置３５０が接続されているかを、システム管理者の手動によらずに検知することが可能である。
【００９７】
図１３は、第５の実施の形態において電力供給装置２５０に接続された画像処理装置３５０を検知する処理のシーケンス図である。電力供給装置２５０の電力制御部２０２から、ＰＬＣ電力線７００を介して画像処理装置３５０に電力供給が行われると（ステップＳ４０１）、画像処理装置３５０の通信部３０１は、自己の識別情報であるＩＤを、ＰＬＣ電力線７００を介して電力供給装置２５０に送信する（ステップＳ４０２）。
【００９８】
電力供給装置２５０は、通信部２０１は、画像処理装置３５０から、ＩＤを、ＰＬＣ電力線７００を介して受信する。そして、通信部２０１は、受信した画像処理装置３５０のＩＤと電力供給装置２５０のＩＤとを含む、画像処理装置３５０の接続通知を、ネットワーク４００を介して情報処理装置１００に送信する（ステップＳ４０３）。
【００９９】
情報処理装置１００では、通信部１０１が、ネットワーク４００を介して、画像処理装置３５０の接続通知を電力供給装置２５０から受信する。そして、通信部１０１は、受信した接続通知に含まれる画像処理装置３５０のＩＤと、電力供給装置２５０のＩＤとを、記憶部（不図示）に対応付けて記憶する（ステップS４０４）。
【０１００】
このように本実施の形態では、電力供給装置２５０と画像処理装置３５０とを、省電力な通信手段としてのＰＬＣ電力線７００で接続しているので、第１〜４の実施の形態と同様の効果を奏する他、どの電力供給装置２５０がどの画像処理装置３５０に接続されているかという接続関係を情報処理装置１００が自動的に検知することができ、このような接続関係を予めシステム管理者等が設定しておく必要がなくなり、作業の効率化を図ることができる。
【０１０１】
また、本実施の形態では、画像処理装置３５０において、電源オンの要因が発生した場合に、画像処理装置３５０の通信部３０１は、電源オンの指令をＰＬＣ電力線７００を介して直接、電力供給装置２５０に送信する。電力供給装置２５０では、通信部２０１が電源オンの指令を、ＰＬＣ電力線７００を介して画像処理装置３５０から受信すると、電力制御部２０２は、ステップＳ４０１のように、ＰＬＣ電力線７００を介して画像処理装置３５０に電力供給を行うようになっている。
【０１０２】
次に、第１〜４の実施の形態における各処理を第５の実施の形態で行った際に、ＰＬＣ電力線７００が使用される場合について説明する。
【０１０３】
図２、４、６のステップＳ１１０、図８のステップＳ１６１の電力供給開始、図３のステップＳ２１０、図８のステップＳ１６０、図１１のステップＳ３３０の電力供給停止については、ＰＬＣ電力線７００を介して行われる。
【０１０４】
図３のステップＳ２０２の画像処理装置３５０から電力供給装置２５０への準備処理完了通知の送信、図６のステップＳ１４２の電力供給装置２５０から画像処理装置３５０への印刷ジョブの送信については、ＰＬＣ電力線７００を介して行われる。
【０１０５】
また、図９に示した第４の実施の形態における画像処理システムの全体構成と同様の構成において、各画像処理装置と各電源供給装置とをＰＬＣ電力線７００で接続するように構成することもできる。
【０１０６】
図１４は、第５の実施の形態における画像処理システムにおいて、各画像処理装置と各電源供給装置とをＰＬＣ電力線７００で接続した構成を示す図である。
【０１０７】
この場合において、第１画像処理装置３５０ａにおいて電源オフ要因が発生した場合には、第１画像処理装置３５０ａで電源オフ準備処理を実行した後、第１画像処理装置３５０ａの通信部３０１は、準備処理完了通知を、ＰＬＣ電力線７００を介して、直接、第１電力供給装置２５０ａに送信する。これにより、第１電力供給装置２５０ａは、第１画像処理装置３５０ａが電源オフ準備処理完了の状態であることを、情報処理装置１３０を介さずに知ることができ、第１電力供給装置２５０ａの電力制御部２０２は、第１画像処理装置３５０ａに対する電力供給を停止することができる。
【０１０８】
このため、第１電力供給装置２５０ａが第１画像処理装置３５０ａへの電力供給を停止するために、図１０に示したように、第１画像処理装置３５０ａが電源オフ準備処理完了通知を、情報処理装置１３０へネットワーク４１０を介して送信し、情報処理装置１３０が第１電力供給装置２５０ａへ停止指示を送信するような、情報処理装置１３０を介した処理を実行する必要はなくなる。
【０１０９】
特に、ＰＬＣ電力線７００を用いない第４の実施の形態の場合には、このような第１画像処理装置３５０ａ、第１電力供給装置２５０ａ、情報処理装置１３０の間の通信処理の実行のための通信処理プログラムが必要となるが、このような三者間の通信処理プログラムは、上述した電源オフの準備処理完了通知しか用いられないため、ソフトウェア開発効率の低下となる。
【０１１０】
しかし、本実施の形態では、ＰＬＣ電力線７００を用いて、第１画像処理装置３５０ａが、電源オフ準備処理完了通知を、直接、第１電力供給装置２５０ａに送信することで、情報処理装置１３０の介在を不要とし、その結果、殆ど使用されることのない、第１画像処理装置３５０ａ、第１電力供給装置２５０ａ、情報処理装置１３０の間の通信処理プログラムが不要となるため、ソフトウェア効率を向上させることが可能となる。
【０１１１】
第１〜５の実施の形態では、ネットワーク４００，４１０を用いていたが、これに代えて他の通信手段を用いるように構成することができる。例えば、ネットワーク４００に代えて無線ＬＡＮを用いるように構成してもよい。
【０１１２】
また、第５の実施の形態では、電力供給装置２５０と画像処理装置３５０とをＰＬＣ電力線７００により接続していたが、これに限定されるものではない。例えば、電力供給装置２５０と画像処理装置３５０とを、赤外線通信、ＲＦ無線通信、その他の近距離無線通信（ＮＦＣ：Ｎｅａｒ  Ｆｉｅｌｄ  Ｃｏｍｍｕｎｉｃａｔｉｏｎ）によって接続するように構成してもよい。ただし、この場合には、別途、電力供給を行うための電力線でも電力供給装置２５０と画像処理装置３５０とを接続する必要がある。
【０１１３】
図１５は、第１〜５の実施の形態にかかる画像処理装置３００,３２０（３２０ａ，３２０ｂ，３２０ｃ），３５０（３５０ａ，３５０ｂ，３５０ｃ）のハードウェア構成を示すブロック図である。本図においては、画像処理装置が複合機である場合のハードウェア構成を説明する。
【０１１４】
印刷装置７および画像読取装置８を備える画像処理装置３００，３２０，３５０は、画像処理装置３００，３２０，３５０における画像処理全般の制御を行う画像処理制御ユニット１０を有する。この画像処理制御ユニット１０には、印刷装置７を制御する印刷制御ユニット１１と、画像読取装置８を制御する画像読取制御ユニット１２と、が接続されている。
【０１１５】
印刷制御ユニット１１は、画像処理制御ユニット１０の制御に従って印刷装置７に対して画像データを含む印刷指示を出力し、印刷装置７に転写紙などの媒体（一般的に普及している普通紙、カラー紙、ハガキ、ＯＨＰシートなどの記録媒体、以下、単に、用紙と記述する）に画像を形成して出力させる。印刷装置７はフルカラーの印刷が可能である。その印刷方式は、電子写真方式のほか、インクジェット方式、昇華型熱転写方式、銀塩写真方式、直接感熱記録方式、溶融型熱転写方式など、さまざまな方式を用いることができる。なお、上記実施の形態では電子写真方式の印刷装置を例にとって説明する。
【０１１６】
画像読取制御ユニット１２は、画像処理制御ユニット１０の制御により画像読取装置８を駆動し、原稿の表面に対するランプ照射の反射光をミラーおよびレンズにより受光素子（たとえば、ＣＣＤ（Ｃｈａｒｇｅ  Ｃｏｕｐｌｅｄ  Ｄｅｖｉｃｅ））に集光して読み取り、Ａ（アナログ）／Ｄ（デジタル）変換してＲＧＢ各８ｂｉｔのデジタル画像データを生成する。
【０１１７】
このような画像処理制御ユニット１０は、メインプロセッサであるＣＰＵ（Ｃｅｎｔｒａｌ  Ｐｒｏｃｅｓｓｉｎｇ  Ｕｎｉｔ）１３と、各処理におけるデータを一時的に格納しておくメモリデバイス（たとえば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等）１４と、制御プログラム等を記憶したＲＯＭ（Ｒｅａｄ  Ｏｎｌｙ  Ｍｅｍｏｒｙ）１５と、システムログ／システム設定／ログ情報等を記録しておく電源ＯＦＦ時にもデータの保持が可能なＮＶＲＡＭ（Ｎｏｎ−Ｖｏｌａｔｉｌｅ  ＲＡＭ）１６と、をバス接続したマイクロコンピュータシステムで構成されている。
【０１１８】
また、画像処理制御ユニット１０には、多量の画像データの蓄積やジョブ履歴等の蓄積や画像読取装置８から読み込んだＲ（レッド）、Ｇ（グリーン）、Ｂ（ブルー）の画像データをＣ（シアン）、Ｍ（マゼンタ）、Ｙ（イエロー）、Ｋ（ブラック）のデジタル画像データに変換し、印刷装置７による作像に供すべく、画像データを格納するＨＤＤ２（Ｈａｒｄ  Ｄｉｓｋ  Ｄｒｉｖｅ）が接続される。装置内部に設けられた集線装置であるＨＵＢ１９を介して画像処理装置３００，３２０，３５０をＬＡＮ（Ｌｏｃａｌ  Ａｒｅａ  Ｎｅｔｗｏｒｋ）に接続するためのＬＡＮ制御部１８、ＦＡＸ（ファクシミリ）制御を行うＦＡＸ制御ユニット２０が接続されている。このＦＡＸ制御ユニット２０は、公衆電話網に通じる構内交換器（ＰＢＸ）２２に接続されており、画像処理装置３００，３２０，３５０、遠隔のファクシミリと交信することができる。
【０１１９】
また、画像処理制御ユニット１０には、表示制御ユニット２３および操作入力制御ユニット２４が接続されている。表示制御ユニット２３は、画像処理制御ユニット１０の制御信号にしたがって操作パネルＰに対して画像表示の制御を行う。
【０１２０】
操作入力制御ユニット２４は、操作パネルＰからのオペレータによる機能設定や入力操作に応じた入力制御信号を、画像処理制御ユニット１０の制御信号によって入力する。操作パネルＰは、たとえばＬＣＤ（Ｌｉｑｕｉｄ  Ｃｒｙｓｔａｌ  Ｄｉｓｐｌａｙ）である表示装置４０と、操作入力装置４１とで構成されている。
【０１２１】
操作入力装置４１は、表示装置４０の表面に積層された超音波弾性波方式等のタッチパネルと、複数のキーを有するキーボードとで構成されている。キーボードには、画像読み取りの開始を宣言するためのスタートキー、数値入力を行うためのテンキー、読み取った画像データの送信先を設定する読取条件設定キー、クリアキー等が設けられている。すなわち、表示制御ユニット２３は、画像表示制御信号を表示装置４０に出力し、画像表示制御信号に応じた所定事項を表示装置４０に表示させる。
【０１２２】
一方、操作入力制御ユニット２４は、操作入力装置４１におけるオペレータによる機能設定や入力操作に応じた入力制御信号を受信する。ＨＤＤ２には、種々の情報が保存される。
【０１２３】
なお、上記実施の形態では、画像処理装置を、コピー機能、プリンタ機能、スキャナ機能およびファクシミリ機能のうち少なくとも２つの機能を有する複合機に適用した例を挙げて説明したが、複写機、プリンタ、スキャナ装置、ファクシミリ装置等の画像処理装置であればいずれにも適用することができる。
【０１２４】
また、第１〜５の実施の形態にかかる情報処理装置および電力供給装置は、いずれもＣＰＵなどの制御装置と、ＲＯＭ（Ｒｅａｄ  Ｏｎｌｙ  Ｍｅｍｏｒｙ）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１２５】
本実施形態の情報処理装置、電力供給装置および画像処理装置で実行される各プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１２６】
また、本実施形態の情報処理装置、電力供給装置および画像処理装置で実行される各プログラムを、インターネット等のネットワークに接続されたコンピュータ上に格納し、それぞれネットワーク経由でダウンロードさせることにより提供するように構成しても良い。また、本実施形態の情報処理装置、電力供給装置および画像処理装置で実行される各プログラムをインターネット等のネットワーク経由で提供または配布するように構成しても良い。また、本実施形態の情報処理装置、電力供給装置および画像処理装置で実行される各プログラムを、それぞれＲＯＭ等に予め組み込んで提供するように構成してもよい。
【０１２７】
本実施の形態の情報処理装置で実行されるプログラムは、上述した各部（通信部、通信監視部、受付部、実行指示処理部、電力処理部）を含むモジュール構成となっており、実際のハードウェアとしてはＣＰＵ（プロセッサ）が上記記憶媒体からプログラムを読み出して実行することにより上記各部が主記憶装置上にロードされ、通信部、通信監視部、受付部、実行指示処理部、電力処理部が主記憶装置上に生成されるようになっている。電力供給装置および画像処理装置で実行されるプログラムも同様であり、それぞれ上述の各部を含むモジュール構成となっている。
【０１２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２９】
１〜４  画像処理システム
１００  情報処理装置
１０１  通信部
１０２  通信監視部
１０３  受付部
１０４  実行指示処理部
１０５  電力処理部
２００，２５０  電力供給装置
２０１  通信部
２０２  電力制御部
２０３  電力測定部
３００，３５０  画像処理装置
３０１  通信部
３０２  電源
３０４  タイマー
３０５  受付部
３０６  画像処理部
３０７  電源オフ準備部
【先行技術文献】
【特許文献】
【０１３０】
【特許文献１】特開２００２−２４７２４９号公報
【特許文献２】特開２００９−８１７２３号公報
【図１】
0006028468.tif 000002
【図２】
0006028468.tif 000003
【図３】
0006028468.tif 000004
【図４】
0006028468.tif 000005
【図５】
0006028468.tif 000006
【図６】
0006028468.tif 000007
【図７】
0006028468.tif 000008
【図８】
0006028468.tif 000009
【図９】
0006028468.tif 000010
【図１０】
0006028468.tif 000011
【図１１】
0006028468.tif 000012
【図１２】
0006028468.tif 000013
【図１３】
0006028468.tif 000014
【図１４】
0006028468.tif 000015
【図１５】
0006028468.tif 000016